【手続補正書】
【提出日】平成22年2月24日(2010.2.24)
【手続補正１】
【補正対象書類名】特許請求の範囲
【補正対象項目名】全文
【補正方法】変更
【補正の内容】
【特許請求の範囲】
【請求項１】
コンテンツデータ記録再生装置と情報処理装置とを備えるコンテンツデータ通信システムであって：
前記コンテンツデータ記録再生装置は、
前記情報処理装置と接続する記録再生装置側接続部と；
前記情報処理装置から前記コンテンツデータ記録再生装置へのコンテンツデータの送信を制御するアプリケーションを保持する記録再生装置側記憶部と；
を備え、
前記情報処理装置は、
前記コンテンツデータ記録再生装置と接続される接続部と；
コンテンツデータを保持する記憶部と；
前記コンテンツデータ記録再生装置が接続されると、前記記録再生装置側記憶部が保持する前記アプリケーションを読み出し、前記読み出したアプリケーションに基づいて、前記記憶部の所定のデータ領域に保持されている前記コンテンツデータを前記記録再生装置側記憶部へ前記接続部に送信させる制御部と；
を備えることを特徴とする、コンテンツデータ通信システム。
【請求項２】
前記制御部は、前記記録再生装置側記憶部の記憶可能容量が、前記記憶部の所定のデータ領域に保持されている前記コンテンツデータの総容量よりも小さいときは、前記接続部による前記コンテンツデータの送信を禁止することを特徴とする、請求項１に記載のコンテンツデータ通信システム。
【請求項３】
前記制御部は、前記コンテンツデータの送信を行わないときは、表示部に前記記録再生装置側記憶部が保持するコンテンツデータの一覧を表示し、操作入力に基づいて、前記記録再生装置側記憶部が保持するコンテンツデータを選択的に削除することを特徴とする、請求項２に記載のコンテンツデータ通信システム。
【請求項４】
前記制御部は、前記記録再生装置側記憶部の記憶可能容量が、前記記憶部の所定のデータ領域に保持されている前記コンテンツデータの総容量よりも大きくなったときに、前記接続部に前記コンテンツデータの送信を開始させることを特徴とする、請求項３に記載のコンテンツデータ通信システム。
【請求項５】
前記制御部は、
前記記録再生装置側記憶部の記憶可能容量が、前記記憶部の所定のデータ領域に保持されている前記コンテンツデータの総容量よりも小さいときは、所定の規則に基づいて、前記記憶部の所定のデータ領域に保持されている前記コンテンツデータを前記接続部に送信させることを特徴とする、請求項１に記載のコンテンツデータ通信システム。
【請求項６】
前記制御部は、前記記録再生装置側記憶部の記憶可能容量が、送信データとして選択されたコンテンツデータの容量よりも小さいときは、前記選択されたコンテンツデータの前記接続部による送信を禁止することを特徴とする、請求項５に記載のコンテンツデータ通信システム。
【請求項７】
前記制御部は、前記記録再生装置側記憶部の記憶可能容量が、前記選択されたコンテンツデータの容量よりも小さいときは、前記記憶可能容量よりも容量の小さなコンテンツデータを送信することを特徴とする、請求項５に記載のコンテンツデータ通信システム。
【請求項８】
前記制御部は、前記コンテンツデータが送信中であることを示す情報を、表示部に表示させることを特徴とする、請求項１に記載のコンテンツデータ通信システム。
【請求項９】
前記制御部は、前記コンテンツデータ記録再生装置と前記情報処理装置とが接続されると、前記アプリケーションに基づいて自動的に前記コンテンツデータを前記接続部に送信させることを特徴とする、請求項１に記載のコンテンツデータ通信システム。
【請求項１０】
前記制御部は、送信が完了した前記コンテンツデータを示す送信済み履歴を前記記憶部に保持させ、
前記送信済み履歴に基づいて前記記憶部の所定のデータ領域に保持されている前記コンテンツデータがそれぞれ送信済みであるか否かを判定し、
未送信のコンテンツデータを、前記記録再生装置側記憶部へと前記接続部に送信させることを特徴とする、請求項１に記載のコンテンツデータ通信システム。
【請求項１１】
前記制御部は、前記コンテンツデータの送信元である前記記憶部の所定のデータ領域が設定されているかを判定し、前記所定の領域が設定されていないときには、前記所定のデータ領域を設定させるための情報を表示部に表示させ、操作入力に基づいて前記所定のデータ領域を設定することを特徴とする、請求項１に記載のコンテンツデータ通信システム。
【請求項１２】
前記制御部は、設定された前記所定のデータ領域を示す設定情報を前記情報処理装置に保持させることを特徴とする、請求項１１に記載のコンテンツデータ通信システム。
【請求項１３】
前記制御部は、前記設定情報を変更するための変更命令に基づいて、前記表示部に前記所定のデータ領域を設定させるための情報を表示させ、操作入力に基づいて前記所定のデータ領域を変更することを特徴とする、請求項１２に記載のコンテンツデータ通信システム。
【請求項１４】
前記制御部は、前記記憶部の所定のデータ領域に保持されている前記コンテンツデータが、前記コンテンツデータ記録再生装置が再生不可能な形式のデータであるときには、前記コンテンツデータを前記コンテンツデータ記録再生装置が再生可能な形式のデータに変換して、前記記録再生装置側記憶部へと前記接続部に送信させることを特徴とする、請求項１に記載のコンテンツデータ通信システム。
【請求項１５】
前記制御部は、送信を行うコンテンツデータの識別名と同一の識別名のデータが前記記録再生装置側記憶部に保持されていたときは、前記送信を行うコンテンツデータの識別名を自動的に変更して、前記記録再生装置へと前記接続部に送信させることを特徴とする、請求項１に記載のコンテンツデータ通信システム。
【請求項１６】
前記制御部は、送信を行うコンテンツデータに用いられている文字コードデータが、前記コンテンツデータ記録再生装置で用いられる所定の文字コードではないときは、前記文字コードデータを前記所定の文字コードに変換して、前記記録再生装置側記憶部へと前記接続部に送信させることを特徴とする、請求項１に記載のコンテンツデータ通信システム。
【請求項１７】
コンテンツデータ記録再生装置と情報処理装置とを備えるコンテンツデータ通信システムであって：
前記コンテンツデータ記録再生装置は、
前記情報処理装置と接続する記録再生装置側接続部と；
前記情報処理装置から前記コンテンツデータ記録再生装置へのコンテンツデータの送信を制御するアプリケーションを保持する記録再生装置側記憶部と；
を備え、
前記情報処理装置は、
前記コンテンツデータ記録再生装置と接続する接続部と；
外部装置とネットワークを介して通信を行う通信部と；
前記コンテンツデータ記録再生装置が接続されたときに、前記記録再生装置側記憶部が保持する前記アプリケーションを読み出し、前記読み出したアプリケーションに基づいて、前記通信部を介して前記外部装置に保持されているコンテンツデータを受信し、前記受信したコンテンツデータを前記記録再生装置側記憶部へと前記接続部に送信させる制御部と；
を備えることを特徴とする、コンテンツデータ通信システム。
【請求項１８】
情報処理装置と接続する接続部と；
情報処理装置と接続されると前記情報処理装置によって読み出され、前記情報処理装置が備える記憶部の所定のデータ領域に保持されているコンテンツデータを、前記コンテンツデータ記録再生装置へ送信させる送信処理を、前記情報処理装置に実行させるプログラムが記憶された記録再生装置側記憶部と；
を備えることを特徴とする、コンテンツデータ記録再生装置。
【手続補正２】
【補正対象書類名】明細書
【補正対象項目名】発明の名称
【補正方法】変更
【補正の内容】
【発明の名称】コンテンツデータ通信システム、およびコンテンツデータ記録再生装置
【手続補正３】
【補正対象書類名】明細書
【補正対象項目名】００８８
【補正方法】変更
【補正の内容】
【００８８】
再度図３を参照すると、上述したような操作により情報処理装置１００の所定のデータ領域に保持されているコンテンツデータの選択的な削除が行われると、再度ステップＳ１０４の判定が行われる。なお、例えば、一覧表示画面１２０にさらにＳｔａｒｔＴｒａｎｓｐｏｒｔボタンを設け、ＳｔａｒｔＴｒａｎｓｐｏｒｔボタンが押下されたことを、ステップＳ１０４の判定を再度行うためのトリガとすることもできる。
【手続補正４】
【補正対象書類名】明細書
【補正対象項目名】０１２０
【補正方法】変更
【補正の内容】
【０１２０】
なお、図７Ａ、図７Ｂでは、ステップＳ２０６をステップＳ２０４の後に行う例について示したが、本発明の実施形態に係る第２のコンテンツデータの同期方法は、上記に限られない。例えば、ステップＳ２０６の処理は、コンテンツデータの送信が開始されるステップＳ２１２以降の任意のタイミングで行うことができる。
【手続補正５】
【補正対象書類名】明細書
【補正対象項目名】０１２３
【補正方法】変更
【補正の内容】
【０１２３】
図９Ａを参照すると、第１の同期方法と同様に、コンテンツデータ記録再生装置１５０と情報処理装置１００とが接続される（Ｓ３００）。